(57)【特許請求の範囲】
【請求項１】
建築物に外装されるスパンドレルの端部の支承と目隠しを行うスパンドレル用ボーダーであって、
このボーダーは、取付部材を介して建築物に取り付けられる下地材部と、スパンドレルの端縁の目隠しを行うボーダー部とが前後に連なって、両者の境部付近にはスパンドレルの端部の裏面を浮遊状態で支承するよう突片が一体形成されていることを特徴とするスパンドレル用ボーダー。
【請求項２】
請求項１において、取付部材を介して建築物に取り付けられる下地材部と、スパンドレルの端縁の目隠しを行うボーダー部とが前後に連なって、両者の境部付近にスパンドレルの端部の裏面を浮遊状態で支承するように突片が一体形成されるボーダーの一対が、建築物の目地等に適合する間隔で並列するように連結板で接合一体化されていることを特徴とするスパンドレル用ボーダー。
【請求項３】
請求項１において、取付部材を介して建築物に取り付けられる下地材部と、スパンドレルの端縁の目隠しを行うボーダー部とが前後に連なって、両者の境部付近にスパンドレルの端部の裏面を浮遊状態で支承するように突片が一体形成されるボーダーの一対が、建築物のコーナー部に適合する角度で交叉するように下地材部又はボーダー部の端部の接合で一体化されていることを特徴とするスパンドレル用ボーダー。
【請求項４】
請求項１〜請求項３の何れかにおいて、取付部材を介して建築物に取り付けられる下地材部と、スパンドレルの端縁の目隠しを行うボーダー部とが前後に連なって、両者の境部付近にスパンドレルの端部の裏面を浮遊状態で支承するように突片が一体形成されるボーダーが、上記突片にスパンドレルの端部を容入するカバー材を取り付けられていることを特徴とするスパンドレル用ボーダー。
【発明の詳細な説明】
【技術分野】
【０００１】
本発明は、建築物に外装されたスパンドレルの端部処理を行うスパンドレル用ボーダーに関する。
【背景技術】
【０００２】
従来、建築物をタイル等で外装する際に、壁面に取り付けられてタイル等の端面を覆う見切材が、胴縁状部分を有する構成されているものは知られている（例えば、特許文献１参照）。
【特許文献１】特開２００１−３０３７４８号公報
【０００３】
しかしながら、上記見切材は、略方形断面をなす見切部の一側にパネル取付部と胴縁部と取付片部とが階段状をなすように連設された形状のものであるから、単独で換気口周りの外装材の端末処理に使用することは出来るが、見切材の一対を連結部材で並列するように接合して目地部用を形成したり、また、交叉するように接合してコーナー用を形成したりすることはできないものであった。
【発明の開示】
【発明が解決しようとする課題】
【０００４】
本発明は前記問題点を解消し、ボーダーの形状を改善して、建築物の端部、目地部、コーナー部等においてスパンドレルの端部の支承と小口隠しが簡単に確実に行なわれるスパンドレル用ボーダーを提供することを課題とする。
【課題を解決するための手段】
【０００５】
上記課題を解決するため、請求項１に係る発明は、建築物に外装されるスパンドレルの端部の支承と目隠しを行うスパンドレル用ボーダーであって、このボーダーは、取付部材を介して建築物に取り付けられる下地材部と、スパンドレルの端縁の目隠しを行うボーダー部とが前後に連なって、両者の境部付近にはスパンドレルの端部の裏面を浮遊状態で支承するよう突片が一体形成されていることを特徴とする。
【０００６】
請求項２に係る発明は、請求項１において、取付部材を介して建築物に取り付けられる下地材部と、スパンドレルの端縁の目隠しを行うボーダー部とが前後に連なって、両者の境部付近にスパンドレルの端部の裏面を浮遊状態で支承するように突片が一体形成されるボーダーの一対が、建築物の目地等に適合する間隔で並列するように連結板で接合一体化されていることを特徴とする。
【０００７】
請求項３に係る発明は、請求項１において、取付部材を介して建築物に取り付けられる下地材部と、スパンドレルの端縁の目隠しを行うボーダー部とが前後に連なって、両者の境部付近にスパンドレルの端部の裏面を浮遊状態で支承するように突片が一体形成されるボーダーの一対が、建築物のコーナー部に適合する角度で交叉するように下地材部又はボーダー部の端部の接合で一体化されていることを特徴とする。
【０００８】
請求項４に係る発明は、請求項１〜３のいずれかにおいて、取付部材を介して建築物に取り付けられる下地材部と、スパンドレルの端縁の目隠しを行うボーダー部とが前後に連なって、両者の境部付近にスパンドレルの端部の裏面を浮遊状態で支承するように突片が一体形成されるボーダーが、上記突片にスパンドレルの端部を容入するカバー材を取り付けられていることを特徴とする。
【発明の効果】
【０００９】
請求項１に係る発明によれば、ボーダーが下地材部とボーダー部が前後に連なって、両者の境部付近に突片を設けたシンプルな一体構成であるため、強度に優れた製品を安価に製作して簡便に取り付けを行うことができて、しかも、突片によるスパンドレルの端末の支承と、ボーダーによる小口隠しが行われるため、スパンドレルの安定した支持とスパンドレルの意匠性の向上が図れる。
【００１０】
請求項２に係る発明によれば、下地材部とボーダー部が前後に連なって、両者の境部付近に突片を有する一対のボーダーを、連結板で建築物の目地部等に合わせた間隔で接合することで一体化したボーダーは、目地部等を連結板で覆う建築物への取り付けが至って簡単にできて、両側のスパンドレルの端末支持も同時に完了し、しかも、連結板に化粧を施しておけば、ボーダーの取り付けで目地部の化粧も同時に行なわれる。
【００１１】
請求項３に係る発明によれば、下地材部とボーダー部が前後に連なって、両者の境部付近に突片を有する一対のボーダーを、下地材部又はボーダー部の端部の接合で建築物のコーナー部に合わせた角度で接合して一体化させたボーダーは、建築物の出隅、入隅等のコーナー部への取り付けが至って簡単にできて、両側のスパンドレルの端末支持も同時に完了し、しかも、一対のボーダーはコーナーを飾って意匠性を高める効果もある。
【００１２】
請求項４に係る発明によれば、下地材部とボーダー部が前後に連なるボーダーの境部付近に設けた突片に、カバー材を取り付けてスパンドレルの端部を容入させれば、スパンドレルの端部が完全に隠されて、端部がさらに意匠性を高める。
【発明を実施するための最良の形態】
【００１３】
以下に本発明に係るスパンドレル用ボーダーの実施形態を図面に基づいて説明する。
【００１４】
図１において、符号Ａは請求項１に係るスパンドレル用ボーダーを示す。このスパンドレル用ボーダーＡは、建築物１に張設されるスパンドレル２の端部の支承と小口隠しを行うように取付部材３を介して建築物１に取り付けられるものであって、図２に示す通り上記取付部材３に取り付けられる下地材部４と、スパンドレル２の端部の側方に位置して小口隠しを行うボーダー部５とが前後に連なって、両者の境部６の付近にはスパンドレル２の端部の裏面を支承する突片７を有するようにアルミニウム又はその合金の押出成形で形成されている。
【００１５】
上記スパンドレル用ボーダーＡの下地材部４とボーダー部５は、図２に示す通りの板状をなして、下地材部４よりもボーダー部５が肉厚に形成され、下地材部４は後端部の一側に図１に示すボルト８の頭８ａを移動可能に係合させるＴ字溝９を有している。
【００１６】
上記スパンドレル用ボーダーＡの突片７は、必要に応じてスパンドレル２の端部２ａを図１に示す通り容入するカバー材１１を取り付けられる。このカバー材１１は、図３に示す通り前側片１１ａよりも後側片１１ｂが長いコ字形をなして、前側片１１ａの先端に後側への折曲部１１ｃを有するようにアルミニウム又はアルミニウム合金の押出成形で形成されている。
【００１７】
上記スパンドレル２は、図１に示す通り一方の側端部には挿込部１４を有し、他方の側端部には胴縁（野縁）１５等に取り付ける取付片１６と、隣りのスパンドレル２の挿込部１４を嵌合する溝条１７とを有するようにアルミニウム又はアルミニウムの合金の押出成形で形成されていている。
【００１８】
上記スパンドレル用ボーダーＡを建築物１に固定する取付部材３は、図４に示す通り建築物１への取付部３ａとスパンドレル用ボーダーＡへの取付部３ｂとが直交してＬ字形をなす短尺物であって、アルミニウム、スチール、ステンレス等の型材を切断して形成するか、上記材質の板材を曲げ加工して形成する。そして、建築物１への取付部３ａには、建築物１に図１に示す通りセットされているアンカーボルト２０を通す孔２１が形成され、スパンドレル用ボーダーＡへの取付部３ｂには、スパンドレル用ボーダーＡの下地材部４に設けたＴ字溝９に図１に示す通り頭８ａを係合させたボルト８を通す孔２２が形成されている。
【００１９】
また、図１において符号２３は頭８ａをスパンドレル用ボーダーＡの下地材部４に設けたＴ字溝９へ移動可能に係合させたボルト８に捻じ込んだナットを示し、符号２４は建築物１にセットされているアンカーボルト２０に捻じ込んだナットを示している。
【００２０】
次に、上記スパンドレル用ボーダーＡを建築物１に固定して、スパンドレル２の端末を支承させる態様について説明する。
【００２１】
先ず、建築物1に適当な間隔でアンカーボルト２０をセットし、このアンカーボルト２０が孔２１から出るように取付部材３の取付部３ａを建築物１に添え付ける。そして、アンカーボルト２０にナット２４を捻じ込めば取付部３ａを建築物１に固定されるから、スパンドレル用ボーダーＡの下地材部４のＴ字溝９へ頭８ａを係合させることでボルト８を支持させ、このボルト８を取付部材３の取付部３ｂにあけられる孔２２に通して、ナット２３の捻じ込みを行うことで下地材部４と取付部材３を結合すれば、スパンドレル用ボーダーＡは取付部材３を介して建築物１へ強固な取り付けが簡単に行なわれる。
【００２２】
上記の通りスパンドレル用ボーダーＡが建築物１に固定されたら、建築物１に取り付けられている胴縁（野縁）１５等に、スパンドレル２の一方の端部に設けられた取付片１６をビス１８で取り付け、他方の端部２ａを図１に示す通りスパンドレル用ボーダーＡに設けられる突片７に支承させると、この側端部は突片７に取り付けられるカバー材１１内に収まって外部から見えないようになるので、スパンドレル２の端部２ａを外観が良くて、カバー材１１による容入で浮遊状態の端部の支持が安定して行われる。
【００２３】
図５は上記スパンドレル用ボーダーＡを並列して張設されるスパンドレルの中継部に配置して、両側のスパンドレル２の端部を支承させるものであって、下地材部４とボーダー部５との境部６の両側に突片７を設けられており、下地部材４の後端部の両側にＴ字溝９を設けられている。なお、このＴ字溝９は片側に設ける構成でも良い。
【００２４】
上記構成のスパンドレル用ボーダーＡは、図６に示す通り、並列して張設されるスパンドレル２の中継部に合わせて取付部材３により建築物１に取り付けて、突片７、突片７に端部２ａが乗るように建築物１にスパンドレル２の張設を行えば、両側のスパンドレル２、２の端部２ａは突片７、突片７にそれぞれ支承されるので、端部２ａ、端部２ａは突片７に取り付けられるカバー材１１内に収まって外部から見えなくなるので、スパンドレル２の継ぎ目における端部２ａの支承を外観が良く行われて、しかも、カバー材１１による容入で浮遊状態の端部２ａの支承が安定して行われる。
【００２５】
図７において符号Ｂは、請求項２に係るスパンドレル用ボーダーを示す。このスパンドレル用ボーダーＢは、取付部材３を介して建築物１に取り付けられる下地材部４と、スパンドレル２の端部２ａの目隠しを行うボーダー部５とが前後に連なって、両者の境部６付近にスパンドレル２の端部の裏面を支承するように突片７を有するように形成されるスパンドレル用ボーダーＡの一対を、建築物１の目地部１ａ等に適合する間隔で並列するように連結板２５で連結した構造にアルミニウム又はその合金の押出成形で形成したものであり、連結板２５には建築物１に適合するように適当な意匠を施しておくことが好ましい。
【００２６】
上記構成のスパンドレル用ボーダーＢは、図８に示す通り一対のスパンドレル用ボーダーＡ、スパンドレル用ボーダーＡを目地部１ａ等を挟むように建築物1に取付部材３、取付部材３で取り付けて、突片７、突片７に端部２ａ、端部２ａが乗るように建築物１へスパンドレル２、スパンドレル２を張設すると、各スパンドレル２の端部２ａ、端部２ａはスパンドレル用ボーダーＡ、スパンドレル用ボーダーＡに設けられる突片７、突片７に支承させるので、両端部は突片７に取り付けられるカバー材１１内にそれぞれ収まって外部より見えなくなるので、目地部１ａに臨むスパンドレル２の端部２ａの支承を外観が良く行われて、しかも、カバー材１１による端部２ａの容入で浮遊状態の端部２ａの支承が安定して行われ、また、連結板２５は目地部１ａ等を覆ってこれらの部分を飾り、意匠性を高める機能も果たす。
【００２７】
上記スパンドレル用ボーダーＢの形成は、上述した通り一対のスパンドレル用ボーダーＡ、スパンドレル用ボーダーＡが連結板２５で連結されるようにアルミニウム又はその合金の押出成形することなく、図５に示す通り形成されたスパンドレル用ボーダーＡの一対を、対応する突片７、突片７に図９に示す通り別に形成した連結板２５の端部を重ねて、図９の円内に示す通り連結板２５にあけた孔２６から突片７にあけた下孔２７へビス２８を捻じ込んで結合することで形成してもよいもので、この場合は、幅寸法や意匠が異なる幾種類もの連結板２５を準備して、これら連結版２５を状況に応じて選択使用すると、目地部等の幅寸法の変化に安価で対応したり、目地部の意匠を建築物に合わせて変更したりすることができる等の利便性がある。
【００２８】
図１０、図１１において符号Ｃ１は、請求項３に係るスパンドレル用ボーダーを示す。このスパンドレル用ボーダーＣ１は、取付部材３を介して建築物１に取り付けられる下地材部４と、スパンドレル２の端部２ａの目隠しを行うボーダー部５とが前後に連なって、両者の境部６付近にスパンドレル２の端部２ａの裏面を支承するように突片７を有するように形成されるスパンドレル用ボーダーＡの一対を、下地材部４の後端で直交するように連結した構造にアルミニウム又はその合金の押出成形で形成したものであり、下地部材４の後部に設けられるＴ字溝９は、持出片２９で下地部材４よりも離隔されるように設けられる。
【００２９】
上記構成のスパンドレル用ボーダーＣ１は、図１１に示す通り一対のスパンドレル用ボーダーＡ、スパンドレル用ボーダーＡを下地材部４、下地材部４の後端の接合部が建築物１の出隅１ｂに対応するように取付部材３、取付部材３で建築物1に取り付けて、各々の突片７、突片７に端部２ａが乗るように建築物１の２面にスパンドレル２、スパンドレル２を張設して、各々の端部２ａを突片７、突片７に支承させ、端部２ａ、端部２ａをビス１８で突片７に締め付けると、スパンドレル２、スパンドレル２の端部２ａ、端部２ａは突片７、突片７に支持される。なお、スパンドレル２の端部２ａに、図１、図８等に示す通り、突片７、突片７にカバー材１１、カバー材１１を取り付けてこれらカバー材１１、カバー材１１に端部２ａを容入させて化粧してもよい。
【００３０】
図１２、図１３において符号Ｃ２は、請求項３に係るスパンドレル用ボーダーの他の例を示す。このスパンドレル用ボーダーＣ２は、取付部材３を介して建築物１に取り付けられる下地材部４と、スパンドレル２の端部２ａの目隠しを行うボーダー部５とが前後に連なって、両者の境部６付近にスパンドレル２の端部２ａの裏面を支承するように突片７を有するように形成されるスパンドレル用ボーダーＡの一対を、ボーダー部５、ボーダー部５の先端で直交するように連結した構造にアルミニウム又はその合金の押出成形で形成されるものである。
【００３１】
上記構成のスパンドレル用ボーダーＣ２は、図１３に示す通り一対のスパンドレル用ボーダーＡ、スパンドレル用ボーダーＡをボーダー部５、ボーダー部５の先端の接合部が建築物１の入隅１ｃへ対応するように取付部材３、取付部材３で建築物1に取り付けて、各々の突片７、突片７に端部２ａが乗るように建築物１の２面にスパンドレル２、スパンドレル２を張設する。そして、各々の端部２ａを突片７、突片７に支承させ、端部２ａ、端部２ａをビス１８で突片７へ締め付けると、スパンドレル２、スパンドレル２の端部２ａ、端部２ａは突片７、突片７に支持される。なお、スパンドレル２の端部２ａに、図１、図８等に示す通り、突片７、突片７にカバー材１１、カバー材１１を取り付けてこれらカバー材１１、カバー材１１に端部２ａを容入させて化粧してもよい。
【産業上の利用可能性】
【００３２】
本発明は、建築物に張設されるスパンドレルの端部、中継部、目地部、出隅、入隅等のコーナー部等において端部の支承と小口隠しの処理を簡便に高い意匠性をもって行うのに有効利用できる。
【図面の簡単な説明】
【００３３】
【図１】請求項１に係るスパンドレル用ボーダーの使用態様を示す一部分の平面図。
【図２】同上スパンドレル用ボーダーの一部分を示す斜視図。
【図３】同上スパンドレル用ボーダーの突片に取り付けるカバー材の一部分を示す斜視図。
【図４】同上スパンドレル用ボーダーを建築物に取り付ける取付部材の斜視図。
【図５】請求項１に係るスパンドレル用ボーダーの変形例の一部分を示す斜視図。
【図６】同上ボーダーの仕様態様を示す一部分の平面図。
【図７】請求項２に係るスパンドレル用ボーダーの一部分を示す斜視図。
【図８】同上スパンドレル用ボーダーの使用態様を示す一部分の平面図。
【図９】同上スパンドレル用ボーダーの変形例を示す一部分の斜視図。
【図１０】請求項３に係るスパンドレル用ボーダーの一例の一部分を示す斜視図。
【図１１】同上スパンドレル用ボーダーの仕様態様を示す一部分の平面図。
【図１２】請求項３に示すスパンドレル用ボーダーの他の例の一部分を示す斜視図。
【図１３】同上スパンドレル用ボーダーの仕様態様を示す一部分の平面図。
【符号の説明】
【００３４】
Ａ  スパンドレル用ボーダー
１  建築物
２  スパンドレル
３  取付部材
４  下地材部
５  ボーダー部
６  境部
７  突片
【図１】
0005358815.tif 000002
【図２】
0005358815.tif 000003
【図３】
0005358815.tif 000004
【図４】
0005358815.tif 000005
【図５】
0005358815.tif 000006
【図６】
0005358815.tif 000007
【図７】
0005358815.tif 000008
【図８】
0005358815.tif 000009
【図９】
0005358815.tif 000010
【図１０】
0005358815.tif 000011
【図１１】
0005358815.tif 000012
【図１２】
0005358815.tif 000013
【図１３】
0005358815.tif 000014